(57)【要約】【課題】  葉先枯れ症が発生する環境においてユーストマ属植物（トルコギキョウ）を栽培するにあたり、栽培している全個体に同時に施用することが可能な技術であり、薬剤等を使用せずに、従来技術と比較して低コストにて、葉先枯れ症を顕著に抑制できる技術を提供することを目的とする。【解決手段】  気温が20℃を超える条件にてユーストマ属植物の栽培を行うにあたり、花芽分化期における根圏温度を実質的に10〜20℃に維持する根圏低温処理を行うことを特徴とする、ユーストマ属植物における葉先枯れ症の抑制方法を提供する。また、前記葉先枯れ症の抑制方法を用いた、高品質のユーストマ属植物（トルコギキョウ）を効率良く栽培する方法を提供する。【選択図】  図２
2014168389.tif 000002
【特許請求の範囲】
【請求項１】
気温が20℃を超える条件にてユーストマ属植物の栽培を行うにあたり、花芽分化期における根圏温度を実質的に10〜20℃に維持する根圏低温処理を行うことを特徴とする、ユーストマ属植物における葉先枯れ症の抑制方法。
【請求項２】
前記根圏低温処理が、草丈7〜20cmに達した時から14日以上行うものである、請求項1に記載の葉先枯れ症の抑制方法。
【請求項３】
前記低温処理を36日以内で行うものである、請求項2に記載の葉先枯れ症の抑制方法。
【請求項４】
前記根圏低温処理が、根圏温度を実質的に13〜20℃に維持するものである、請求項1〜4のいずれかに記載の葉先枯れ症の抑制方法。
【請求項５】
苗の定植から前記根圏低温処理を行うまでの根圏温度を、実質的に23〜32℃に維持することを特徴とする、請求項1〜4のいずれかに記載の葉先枯れ症の抑制方法。
【請求項６】
前記根圏低温処理後の根圏温度を、実質的に18〜28℃に維持することを特徴とする、請求項1〜5のいずれかに記載の栽培方法。
【請求項７】
前記根圏温度の維持が、水耕栽培又は養液栽培における養液の水温調整により制御して行うものである、請求項1〜6のいずれかに記載の葉先枯れ症の抑制方法。
【請求項８】
前記ユーストマ属植物がトルコギキョウである、請求項1〜7のいずれかに記載の葉先枯れ症の抑制方法。
【請求項９】
請求項1〜8のいずれかに記載の方法を用いて葉先枯れ症を抑制することを特徴とする、ユーストマ属植物の栽培方法。
【請求項１０】
請求項9に記載の方法を用いて栽培することにより、葉先枯れ症が抑制された発蕾又は開花植物体を得、土壌を充填した容器に定植した状態にすることを特徴とする、容器植えユーストマ属植物の生産方法。
【請求項１１】
請求項9に記載の方法を用いて栽培することにより、葉先枯れ症が抑制された発蕾又は開花植物体を得、花茎又は花茎を含む地上部を切断して収穫することを特徴とする、ユーストマ属植物の切り花の生産方法。
【請求項１２】
請求項11に記載の方法により生産した切り花を用いることを特徴とする、切り花加工品の生産方法。
【発明の詳細な説明】
【技術分野】
【０００１】
本発明は、ユーストマ属植物（トルコギキョウ）の根圏温度を制御することにより葉先枯れ症を効率良く抑制する方法に関する。また、本発明は、前記方法を用いることによって高品質のトルコギキョウを効率良く栽培する方法に関する。
【背景技術】
【０００２】
・葉先枯れ症の問題
トルコギキョウ（別名：ユーストマ、リシアンサス）は周年需要があり、生産者にとっても収益性の高い品目の生花である。
ここで、トルコギキョウは、自然状態では長日条件で開花が促され、春に開花する植物であるため、春出しのトルコギキョウでは高い品質のものを生産することが比較的容易である。一方、秋から冬はトルコギキョウの開花期ではない。そのため、秋出しのトルコギキョウでは、婚礼業務のための高品質な切り花が必要とされ、高い経済性が期待される。
【０００３】
トルコギキョウを秋（10〜11月）に出荷するためには、苗を6〜7月に定植し、夏場の高温多湿期に栄養成長から花芽分化に切り替わる生育ステージを経過することが必要となる。ところが、夏場における当該生育ステージの切り替えの際には、葉先枯れ症（チップバーン）と呼ばれる生理障害が多発する問題が生じる。特に成長点が枯死するほど重度の葉先枯れ症では、切り花の品質を構成する分枝の発生位置を見栄えの悪いものとなり、分枝数も大幅に低下したものとなる。
【０００４】
・従来技術における葉先枯れ症対策
葉先枯れ症は、花芽分化時にカルシウムが欠乏した状態であると発生する生理障害と考えられていた。そこで、葉先枯れ症発生時や発生前に、カルシウム資材を葉面に散布する方法が行われていた（例えば、非特許文献1 参照）。
しかし、当該方法は、葉先枯れ症の発生の可能性のある植物個体にカルシウム資材の散布を一定期間の間毎週行うことが必要であるため、原理的に栽培している全個体の葉先枯れ症を抑制することが困難な方法であった。また、資材費が高価であることに加えてカルシウムを高濃度で散布する必要があるため、コストの点での課題が指摘されていた。また、散布する栽培者に多くの労力を課す方法でもあった。このため、当該方法は、生産業者においては、現実的に有用な葉先枯れ症抑制方法とは認められなかった。
【０００５】
また、葉先枯れ症は、高気温条件により地上部の生育速度が早過ぎて、新葉や成長点など生理活性の高い部位のカルシウム濃度が相対的に不足するために発生するものと考察されていた。そこで、当該メカニズムに着目し、灌水量を削減したり、地上部に一定条件の風をあてることにより、意図的に生育を抑制して葉先枯れ症を抑制する技術が試みられてきた（例えば、特許文献1 参照）。
しかし、これらの抑制技術は、原理的に生育量の減少や収穫に要する期間が長くなるなどの、品質や収穫効率に悪影響を及ぼすデメリットを包含する技術であった。さらに、送風による抑制技術では、栽培している全ての個体に好適条件の風をあてることが困難であり、栽培中の全個体の葉先枯れ症を抑制することは原理的に極めて困難であると認められていた。
【先行技術文献】
【特許文献】
【０００６】
【特許文献１】特開2004-113172号公報
【非特許文献】
【０００７】
【非特許文献１】萩原雅彦、石灰の葉面散布, 被覆肥料によるチップバーン予防、農業技術体系・花卉編 8巻、p452の8〜452の10、2000年
【非特許文献２】大川清編/著、実践花き園芸技術、トルコギキョウ  栽培管理と開花調節、p133、誠文堂新光社、2003年
【発明の概要】
【発明が解決しようとする課題】
【０００８】
本発明は、葉先枯れ症が発生する環境においてユーストマ属植物（トルコギキョウ）を栽培するにあたり、栽培している全個体に同時に施用することが可能な技術であり、薬剤等を使用せずに、低コストにて、葉先枯れ症を顕著に抑制できる技術を提供することを目的とする。
【課題を解決するための手段】
【０００９】
本発明者は、上記課題を解決するため鋭意研究を重ねた結果、葉先枯れ症が発生する環境にてユーストマ属植物（トルコギキョウ）を栽培するにあたり、根圏温度を制御して花芽分化期における根圏温度を所定範囲の低温に維持することにより、葉先枯れ症を顕著に抑制できることを見出した。
【００１０】
本発明は、当該知見に基づいてなされたものである。
［請求項1］に係る本発明は、気温が20℃を超える条件にてユーストマ属植物の栽培を行うにあたり、花芽分化期における根圏温度を実質的に10〜20℃に維持する根圏低温処理を行うことを特徴とする、ユーストマ属植物における葉先枯れ症の抑制方法に関するものである。
［請求項2］に係る本発明は、前記根圏低温処理が、草丈7〜20cmに達した時から14日以上行うものである、請求項1に記載の葉先枯れ症の抑制方法に関するものである。
［請求項3］に係る本発明は、前記低温処理を36日以内で行うものである、請求項2に記載の葉先枯れ症の抑制方法に関するものである。
［請求項4］に係る本発明は、前記根圏低温処理が、根圏温度を実質的に13〜20℃に維持するものである、請求項1〜4のいずれかに記載の葉先枯れ症の抑制方法に関するものである。
［請求項5］に係る本発明は、苗の定植から前記根圏低温処理を行うまでの根圏温度を、実質的に23〜32℃に維持することを特徴とする、請求項1〜4のいずれかに記載の葉先枯れ症の抑制方法に関するものである。
［請求項6］に係る本発明は、前記根圏低温処理後の根圏温度を、実質的に18〜28℃に維持することを特徴とする、請求項1〜5のいずれかに記載の栽培方法に関するものである。
［請求項7］に係る本発明は、前記根圏温度の維持が、水耕栽培又は養液栽培における養液の水温調整により制御して行うものである、請求項1〜6のいずれかに記載の葉先枯れ症の抑制方法に関するものである。
［請求項8］に係る本発明は、前記ユーストマ属植物がトルコギキョウである、請求項1〜7のいずれかに記載の葉先枯れ症の抑制方法に関するものである。
［請求項9］に係る本発明は、請求項1〜8のいずれかに記載の方法を用いて葉先枯れ症を抑制することを特徴とする、ユーストマ属植物の栽培方法に関するものである。
［請求項10］に係る本発明は、請求項9に記載の方法を用いて栽培することにより、葉先枯れ症が抑制された発蕾又は開花植物体を得、土壌を充填した容器に定植した状態にすることを特徴とする、容器植えユーストマ属植物の生産方法に関するものである。
［請求項11］に係る本発明は、請求項9に記載の方法を用いて栽培することにより、葉先枯れ症が抑制された発蕾又は開花植物体を得、花茎又は花茎を含む地上部を切断して収穫することを特徴とする、ユーストマ属植物の切り花の生産方法に関するものである。
［請求項12］に係る本発明は、請求項11に記載の方法により生産した切り花を用いることを特徴とする、切り花加工品の生産方法に関するものである。
【発明の効果】
【００１１】
本発明は、葉先枯れ症が発生する環境にてユーストマ属植物（トルコギキョウ）を栽培するにあたり、葉先枯れ症の発生を顕著に抑制できる技術を提供することを可能とする。また、本発明は、栽培している全個体に同時に施用可能な技術であり、薬剤等を使用せずに、低コストにて当該葉先枯れ症を抑制する技術である。
これにより、本発明は、葉先枯れ症が発生しやすい環境の栽培においても、高品質のトルコギキョウを効率良く栽培することを可能とする。また、本発明は、経済性の高いトルコギキョウの切り花や容器植えを、効率良く生産することを可能とする。
【図面の簡単な説明】
【００１２】
【図１】実施例1における生育試験において、各処理区における葉先枯れ症発生個体の出現頻度（％）を算出して示した結果図である。
【図２】実施例1における生育試験において、根圏温度28℃（処理区1-3）と根圏温度15℃（処理区1-4）における平均的個体の草姿を撮影した写真像図である。
【図３】実施例1における生育試験において、芯枯れ個体の先端部を撮影した写真像図である。
【図４】実施例4における生育試験において、各処理区の平均的個体の草姿を撮影した写真像図である。図中のbarは10cmを示す。
【図５】本発明において、葉先枯れ症の発生抑制が可能な根圏温度操作の一態様を示した図である。
【発明を実施するための形態】
【００１３】
以下、本発明を詳細に説明する。本発明は、葉先枯れ症が発生する環境にてユーストマ属植物を栽培するにあたり、花芽分化期における根圏温度を所定範囲の低温に維持することにより、葉先枯れ症の発生を顕著に抑制する技術に関する。
【００１４】
［適用対象植物］
本発明は、ユーストマ属植物の葉先枯れ症の発生を顕著に抑制する方法に関する。ユーストマ属植物（Eustoma）とは、リンドウ科に属する一年生草本であり、野生種としてはE. grandiforum（ユーストマ・グランディフロラム）、E. exaltatum（ユーストマ・エグザルタトゥム）の2種が知られている。アメリカ大陸北部からメキシコ北部にかけて分布する。いずれの種も、自然状態ではロゼット状態で越冬し、長日条件で開花が促され春〜初夏に開花する性質を有する。
【００１５】
これらのうち、E. grandiforumは、日本ではトルコギキョウ（和名：トルコギキョウ、別名：リシアンサス、ユーストマ）で知られる植物であり、花卉生産や園芸植物として経済価値が高い品種が数多く存在する。本発明の施用対象として好適な植物である。
本発明は、トルコギキョウの如何なる品種に対しても施用可能な技術である。ここで、トルコギキョウの品種としては、例えば、ボヤージュピンク、レイナホワイト、ピッコローサスノー、セレブピンク、ボレロホワイト、コレゾライトピンク、ミンク、雪てまり、マリアホワイト、エンゲージイエロー、マイテレディ、ポーラスホワイト等を挙げることができる。本発明は、特に葉先枯れ症が発生しやすい品種（ボヤージュピンク等）に対して有用な技術である。
【００１６】
［ユーストマ属植物の生育工程］
本発明におけるユーストマ属植物の栽培においては、生育段階によって初期生育と後期生育に分けることができる（図5 参照）。
発芽した苗は、本葉2〜3対で節間がほとんど伸長していない状態（自然状態ではこの状態で越冬する）となる。その後、苗は高温や長日条件により節間細胞が伸長して抽苔し、草丈が所定の大きさに至って花芽分化が起こる。花芽分化した花芽は発蕾の後開花に至る。
ここで、‘初期生育’とは、最初の花芽が花芽分化期に入るまでの栄養成長期の生育を指す。また、‘後期生育’とは、最初の花芽が花芽分化期に入った以降の生育段階を指す。即ち、花芽分化期、発蕾期、及び開花期を合わせた栽培後半の期間を指す。
【００１７】
本発明における根圏低温処理は、後期生育期の一部又は全部において施す処理である。
【００１８】
［根圏温度制御手段］
本発明において、根圏温度を制御する手段としては、(A) 養液水温を調整して制御する手段、(B) 固形支持体下に温度制御機構を設けて制御する手段、などを挙げることができる。
本発明においては、これらの根圏温度制御手段のうち、大規模栽培でも容易に温度の均一化が可能であり、設備的にも低コストであるという観点から、(A)に記載の手段を採用することが好適である。特には、水耕栽培、最も好ましくはNFT水耕システム、を採用することが好適である。
【００１９】
ここで、(A)に記載の‘養液水温を調整して制御する手段’としては、具体的には、水耕栽培により養液水温を調整する手段を挙げることができる。当該(A)に記載の手段における植物の定植（又は固定）には、発泡スチロール、ロックウール、不織布、バーミキュライト、砂、セラミック等の支持体に植物体を定植する態様を採用することができる。
ここで、水耕栽培としては、養液を循環させる方式を採用することが好適である。当該方式では、均一な水温制御を容易に行うことが可能であり、多数の植物個体の栽培が同時に可能となる。養液循環の手段としては、水中ポンプ、エアーポンプによるエアリフトなどを採用することができるが、特に、NFT水耕システムを採用することが最も好適である。
ここで、NFT水耕システムとは、チャンネルと呼ばれるわずかに勾配をつけたベッドの上方から培養液を流し、流落ちた養液を一旦タンクに貯めて、ポンプで汲み上げて再び循環させる方式の水耕栽培システムを指すものである。
また、水耕栽培としては、タンク、水槽、容器等に養液を張り、湛水状態にて水耕栽培する方法を採用することもできる。当該湛水式の水耕栽培は、栽培規模が小さい場合には温度が不均一になりにくいため、十分に採用可能な方法である。
【００２０】
また、(A)に記載の手段としては、水切り穴を有する容器（ビニールポット、鉢、プランターなど）に土壌を充填し、土壌に植物を定植し、土壌が養液に浸漬した状態にして栽培を行う態様を採用することもできる。当該態様は、循環方式又は湛水方式のいずれの方式も採用することができる。
【００２１】
(A)に記載の手段で用いる養液としては、通常のユーストマ属植物（トルコギキョウ）の水耕栽培や養液栽培で用いることができる養液であれば、如何なるものを用いることができる。好ましくは窒素濃度が低い養液、具体的には2.0mM以下, 好ましくは1.5mM以下, より好ましくは1.0mM以下、より好ましくは0.8mM以下の養液を用いることが好適である。なお、窒素濃度の下限としては、生育量が担保されるように、0.1mM以上、好ましくは0.2mM以上、より好ましくは0.3mM以上であることが望ましい。
【００２２】
一方、(B)に記載の‘固形支持体下に温度制御機構を設けて制御する手段’としては、例えば、固形支持体の下に温熱ヒーター等を設置して根圏温度を制御する手段を挙げることができる。ここでの固形支持体としては、具体的には、土壌、バーミキュライト、砂などを挙げることができる。
当該方法は、栽培規模が小さい場合には適用が可能である。但し、規模が大きい場合には、温度の均一維持が難しい方法と認められる。
【００２３】
［根圏低温処理］
本発明の方法では、根圏温度を操作して花芽分化期の根圏温度を所定範囲の低温に維持することにより、葉先枯れ症を顕著に抑制することが可能となる。
【００２４】
・葉先枯れ症の発生環境
本発明は、葉先枯れ症が発生する（特には、葉先枯れ頻発し発症度合が重度になる）環境条件にてユーストマ属植物を栽培する際に極めて有用な技術である。
ここで、‘葉先枯れ症’（別名：チップバーン, tipburn）とは、新葉や成長点など生理活性の高い部位のカルシウム濃度が相対的に不足することにより、新芽や成長点が枯死する生理障害を指す。症状の度合いにより、(i) 葉先端部が軽微に枯死する状態（葉先枯れ状態）と、(ii) より重度の主茎先端部が枯死した状態（芯枯れ状態）に分けることができる。
【００２５】
葉先枯れ症が発生する環境条件とは、気温20℃を超える気温条件を指す。当該葉先枯れ症は、気温が高くなるほど発生傾向が増加し発症度合が重度になる傾向を示す。特には25℃以上、さらに特には28℃以上、さらに特には30℃以上、さらに特には32℃以上の高気温条件では、発生頻度が激増し発症度合も重度になる。
また、上記気温条件を充足した上で、さらに多湿条件が重なった場合、葉先枯れ症の発生頻度はさらに増加し、発症度合も重度になる。ここで、多湿条件としては、例えば、相対湿度が70％以上、特には80％以上、さらに特には90％以上、さらに特には95％以上を挙げることができる。
また、上記気温条件を充足した上で、高窒素条件（養液や肥料の窒素含量が高いものを施した条件）での栽培を行った場合にも、葉先枯れ症の発生頻度がさらに増加し、発症度合も重度になる。ここで高窒素条件とは、例えば、総窒素濃度5mM以上, 好ましくは7mM以上, より好ましくは9mM以上の養液又は液肥を用いて栽培する条件を指す。窒素濃度が高いほど葉先枯れ症の発生頻度はさらに増加し、発症度合も重度になる。
【００２６】
上記のように、葉先枯れ症は、気温20℃を超える気温条件で発生が認められるようになり、高気温条件、多湿条件、及び高窒素条件によりその発生がさらに促される。また、これらの条件が重なると相乗的に頻発しやすくなり、発症度合も重度となる。
このような葉先枯れ症が頻発しやすい環境としては、具体的には、夏場のビニールハウスで肥料を多く施肥した環境を挙げることができる。
【００２７】
・花芽分化期
本発明の根圏低温処理は、花芽分化期をカバーするように行うことを特徴とする技術である。ここで、‘花芽分化期’とは、芽が栄養成長から生殖成長に切り変わって「最初の花芽」の分化形成が始まってから、発蕾に至る直前までの期間を指す（図5 参照）。ここでの花芽分化期という用語は、花芽単位ではなく個体単位で判断する生育段階を指す用語である。
栄養成長している個体が花芽分化期に入ったかどうかの指標としては、栽培状態の外観から直接判断することはできない。一方、組織学的に観察した場合には、萼片原基が形成された時期をもって判断できる。また、遺伝子発現を指標とした場合では、FT（Flowering Locus T）遺伝子、LFY（LEAFY）遺伝子、AP1（APETALA1）遺伝子等の花芽形成遺伝子の発現量が上昇する時期をもって判断することができる。
花芽分化が起こった花芽では、萼片、花弁、雄蕊及び雌蕊などの花器官の原基が形成される。花芽が約5mmに達すると肉眼での視認が可能となり外観から発蕾したと判定することができる。なお、胚珠や葯等の生殖器官が形成されるのは、発蕾に達した以降のステージである。
花芽分化が始まってから発蕾に至るまでの期間は10〜21日程度、通常の栽培条件では12〜18日程度である。
【００２８】
・根圏低温処理の温度
根圏低温処理は、10〜20℃の温度帯で実質的に維持して行うことが必要である。当該処理における根圏温度は、20℃以下で行う必要がある。好ましくは19℃以下、より好ましくは18℃以下を挙げることができる。根圏温度が高すぎる場合、葉先枯れを起こす個体の発生頻度が増加し、その症状も重度化する傾向が見られる。即ち、葉先枯れ症の抑制効果を十分に期待することができず好ましくない。
一方、当該処理温度の下限温度としては、10℃以上を挙げることができる。好ましくは11℃以上、より好ましくは12℃以上、さらに好ましくは13℃以上、さらに好ましくは14℃以上、さらに好ましくは15℃以上を挙げることができる。根圏温度が低すぎる場合、葉先枯れ症の発生を抑制することは可能であるが、低温による生育抑制の影響が強まるため好ましくない。具体的には、新葉の黄化や矮化する傾向が見られる。
これらを総合的に勘案すると、当該根圏低温処理は、好ましくは13〜20℃、より好ましくは15〜20℃、最も好ましくは15〜18℃で行うことが、葉先枯れ症の抑制と生育抑制の両方を回避できる点で好適である。
なお、ここで「実質的に維持して行う」とは、完全に当該温度帯を外れないことを意味するものではなく、例えば、若干の温度範囲（例えば、2℃以内, 好ましくは1℃以内）で、2日以内、好ましくは1日以内、であれば、当該温度帯に維持する条件を満たすことを意味する。
【００２９】
・根圏低温処理の開始期
ユーストマ属植物では、ロゼット状態から抽苔による節間細胞の伸長成長が起こった後、草丈が約10〜18cm（±2cm）に達すると葉芽が花芽分化し始めることが経験的に知られている（非特許文献2 参照）。そこで、本発明では、草丈が7〜20cmに達した時に根圏低温処理を開始することで、最初の花芽が花芽分化に入る時期をカバーするように当該処理を行うことが可能となる。
ここで、草丈の上限としては、20cm以下、好ましくは18cm以下、さらに好ましくは16cm以下、さらに好ましくは14cm以下、さらに好ましくは12cm以下、さらに好ましくは11cm以下、さらに好ましくは10cm以下であることが好適である。草丈が大きくなり過ぎてから根圏低温処理を開始した場合処理開始時が遅すぎる傾向がある。即ち、植物個体の全部又は一部が花芽分化期に入ってしまい、葉先枯れ症の発生が十分に抑制することができず好ましくない。なお、早生の品種を対象とする場合は、花芽分化が早く起こる傾向があるため、好ましくは12cm以下、さらに好ましくは11cm以下、さらに好ましくは10cm以下であることが好適である。
一方、草丈の下限としては、7cm以上、好ましくは8cm以上であることが望ましい。草丈が下限より小さい時に根圏低温処理を開始した場合、葉先枯れ症の発生を抑制することは可能であるが、低温による生育抑制の影響がでるため好ましくない。
【００３０】
ここで、草丈は、地上部の基部（茎と根の境目）から植物体が自然に生育している先端までの長さを測定することで求めることができる。また、植物個体を大量栽培している場合では、各個体ずつの値ではなく、サンプリングにより算出した平均値を集団全体の判断指標として採用することができる。
【００３１】
・根圏低温処理の必須期間
本発明における根圏低温処理を行う期間としては、最初の花芽が花芽分化する時期から発蕾に至る時期を含むようにして行うことが必要である。
ここで、通常のユーストマ属植物においては、最初の花芽が分化すると2番目以降の花芽も連続して起こるが、本発明においては最初の花芽分化のみに着目することが必要である。最初の花芽分化から発蕾までの時期（花芽分化期）にある当該植物体は、栄養成長から生殖成長に切り替わる生育段階にある。そのため、当該時期をカバーするように根圏低温処理を行うことで、葉先枯れ症の原因となる生理障害が回避できるためと推測される。
【００３２】
なお、最初の花芽が発蕾した後は植物体個体としての栄養成長から生殖成長に切り替わりは終了している。また、実際のユーストマ属植物（トルコギキョウ）の生産現場では、4段目までの花序（最初の花芽分化開始から比較的短期間に形成される花芽）までが出荷対象となる。
そのため、本発明においては、最初の花芽の発蕾以降の生育段階（花芽分化期が終了した生育段階）に関しては、必ずしも根圏低温処理を継続する必要はない。但し、根圏低温処理を継続した方が葉先枯れ症の抑制効率は若干向上する傾向は認められる。
【００３３】
本発明における根圏低温処理を行う期間としては、当該処理の開始時から14日以上、好ましくは16日以上、さらに好ましくは18日以上、さらに好ましくは20日以上、さらに好ましくは21日以上かけて行うことが好適である。当該期間をかけて処理を行うことで、最初の花芽が花芽分化する時期から発蕾に至る時期を含むようにして根圏低温処理を行うことが可能となり、葉先枯れ症の発生を顕著に抑制することが可能となる。
【００３４】
ここで、根圏低温処理の期間が長すぎた場合、低温による生育抑制の影響（葉の黄化、矮化）が顕著になり商品価値の低い個体が増える傾向にある。そのため、根圏低温処理の開始から36日以内、好ましくは34日以内、より好ましくは32日以内、より好ましくは30日以内、より好ましくは28日以内、より好ましくは24日以内、当該処理を終了させることが望ましい。
特に根圏低温処理を18℃未満で行う場合には、低温による生育抑制の影響が大きくなる傾向があるため、当該期間の上限値を考慮することが特に重要となる。また、18℃未満での根圏低温処理後は、根圏温度を18℃以上にして栽培して生育量を回復させることが望ましい。
【００３５】
・根圏低温処理の効果
本発明においては、上記根圏低温処理を行うことによって、ユーストマ属植物の栽培における葉先枯れ症の発生を顕著に抑制することが可能となる。そのため、栽培植物体の‘品質’及び‘生産効率’を大幅に向上させることが可能となる。
これにより、葉先枯れ症が発生しやすい時期の栽培（春季や夏季から栽培開始して、秋季や冬季の出荷する栽培態様）においても、高品質なユーストマ属植物を効率的に栽培することが可能となる。
【００３６】
［生育量及び生育速度のさらなる向上］
本発明においては、‘初期生育期間’及び／又は‘根圏低温処理後の後期生育期間’について中高温での根圏温度帯での栽培を行うことにより、生育量と生育速度をさらに向上させることが可能となる。即ち、生産効率をさらに向上させることが可能となる。
なお、本発明においては、これらの期間の生育で根圏温度が下記所定温度範囲を外れた場合であっても、生産効率の減少傾向が認められるものの、高品質のユーストマ属植物を効率良く生産することは十分に可能である。即ち、本発明では、これらの期間の生育において、根圏温度が下記所定温度範囲を外れて栽培する態様を除外するものではない。
【００３７】
・初期生育
本発明においては、初期生育（具体的には、苗の定植から前記低温根圏処理を行うまで）の根圏温度を、実質的に23〜32℃に維持して栽培することが好ましい。当該根圏温度は、23℃以上、好ましくは25℃以上、より好ましくは27℃以上、より好ましくは28℃以上、より好ましくは29℃以上にして栽培することが好適である。初期生育においては、根圏温度をこのような高温に設定した場合でも、葉先枯れ症の発生は起こらずに、生育量及び生育速度を向上させることが可能となる。
なお、上限温度としては、32℃以下、好ましくは31℃以下が好適である。当該根圏温度が高すぎる場合、生育全般に悪影響が出て好ましくないからである。
なお、ここで「実質的に維持して行う」とは、完全に当該温度帯を外れないことを意味するものではなく、例えば、若干の温度範囲（例えば、2℃以内, 好ましくは1℃以内）で、2日以内、好ましくは1日以内、であれば、当該温度帯に維持する条件を満たすことを意味する。
【００３８】
・根圏低温処理後の後期生育
本発明においては、根圏低温処理後の後期生育の生育温度を、実質的に18〜28℃に維持して栽培することが好ましい。当該根圏温度は、18℃以上、好ましくは20℃以上、より好ましくは23℃以上、より好ましくは24℃以上にして栽培することが好適である。根圏低温処理後の後期生育においては、根圏温度をこのような高温に設定した場合でも、葉先枯れ症の発生は起こりにくく生育量及び生育速度を向上させることができる。
なお、上限温度としては、28℃以下、好ましくは27℃以下、より好ましくは26℃以下が好適である。当該根圏温度が高すぎる場合、根の生育に悪影響が出て好ましくないからである。
ここで、当該温度範囲よりも高温で行った場合、葉先枯れ症の発生が増加するため好ましくない。また、根腐れが起こりやすくなり、根量が減少する点でも好ましくない。
なお、ここで「実質的に維持して行う」とは、完全に当該温度帯を外れないことを意味するものではなく、例えば、若干の温度範囲（例えば、2℃以内, 好ましくは1℃以内）で、2日以内、好ましくは1日以内、であれば、当該温度帯に維持する条件を満たすことを意味する。
【００３９】
・生育量及び生育速度の向上効果
本発明においては、‘初期生育期間’及び／又は‘根圏低温処理後の後期生育期間’について中高温での根圏温度帯での栽培を行うことにより、生育量及び生育速度を向上させることが可能となる。即ち、低温根圏処理における生育抑制を相殺する効果を得ることができる。特に、根圏低温処理を18℃未満の低温で行った場合において、好適な栽培条件と認められる。
特に、これら両方の期間（初期生育及び根圏低温処理後の後期生育）において、中高温根圏温度帯での生育を行うことで、生育量及び生育速度をさらに向上させることができる。例えば、図5に示す根圏温度制御での栽培を行った場合、約10〜16週という極めて短い栽培期間で、高品質のユーストマ属植物（トルコギキョウ）の周年栽培が可能となる。このような態様を採用した場合では、年間3作の高品質ユーストマ属植物（トルコギキョウ）の生産が可能となる。
なお、通常の自然状態でユーストマ属植物（トルコギキョウ）を栽培した場合は、9〜10月に種子を撒くと開花するのは翌年の7月である。
【００４０】
［製品形態］
上記のように根圏温度を制御した葉先枯れ症の抑制技術を用いて、ユーストマ属植物を栽培することによって、高品質のユーストマ属植物を効率良く栽培することが可能とする。本発明では、具体的には、経済性が高いトルコギキョウを生産することが可能となるが、特にトルコギキョウの特定品種（例えば、八重フリンジ系の品種であるボヤージュピンク、ボヤージュホワイト、コサージュ等）においては、極めて経済性の高いものを生産することが可能となる。栽培後の出荷製品形態としては、容器植え、切り花、切り花加工品等を挙げることができる。
【００４１】
‘容器植え’としては、土壌を充填した容器（例えば、植木鉢、ビニールポット、プランター等）に定植された形態を挙げることができる。寄せ植えの状態にしたものもここに含まれる。当該容器植えは、上記のようにして根圏低温処理を行って発蕾期又は開花期に入った植物体を得、当該植物体を土壌充填容器に定植することによって、最終製品とすることができる。
また、根圏低温処理を当該容器に定植した状態にて行った場合には、植物体が発蕾期又は開花期に入った状態で最終製品とすることができる。商品としては、花茎1本につき花1つ及び蕾1つをつけた状態の花茎の状態が望ましい。
【００４２】
‘切り花’としては、上記のようにして根圏低温処理を行って発蕾期又は開花期に入った植物体を得、花茎又は花茎を含む地上部を切断して収穫することによって、最終製品の形態とすることができる。花束やブーケの状態にしたものもここに含まれる。花茎1本につき花1つ及び蕾1つをつけた状態の花茎の状態が最も望ましい。
【００４３】
‘切り花加工品’としては、上記切り花を、化学的に処理（薬品処理、乾燥処理等）して、形態と色素等が劣化しないように加工したものを指す。具体的にはプリザーブドフラワーを挙げることができる。切り花加工品を生産するための処理方法は常法により行うことができる。
【実施例】
【００４４】
以下、実施例を挙げて本発明を説明するが、本発明の範囲はこれらにより限定されるものではない。
【００４５】
［実施例1］  『根圏温度が葉先枯れ症発生に与える影響』
トルコギキョウの栽培において、高気温条件や多肥条件が葉先枯れ症の発生を促すことが知られている。そこで、トルコギキョウの花芽分化期以降の生育において、根圏温度が葉先枯れ症発生に与える影響を検討した。
【００４６】
(1)「初期生育」
トルコギキョウ（ボヤージュピンク：葉先枯れ症が発生しやすい品種）の種子をセルトレーに詰めた育苗培土に播種し、十分に給水した後に10℃にて5週間の冷蔵処理を行った。その後、人工気象器内で12時間日長の光条件、明期28℃及び暗期18℃の気温条件にて栽培し、本葉2対が展開した苗を得た。
【００４７】
人工気象室内に、冷却機能付きの恒温水槽（内寸30×40×20cm）を準備し、養液（ハイテンポAr 1mL/L, ハイテンポCu 2mL/L, 電気伝導度 150 mS/m）30Lを水槽に入れた。ここでハイテンポAr（住友化学(株)）は、硝酸性窒素(N) 7.3％, 水溶性カリウム(K2O) 3％, 水溶性マグネシウム 2.3％, 水溶性マンガン 0.03％, 水溶性ホウ素 0.05％を含む液肥である。また、ハイテンポCu（住友化学(株)）は、窒素分(N) 7.3％, 水溶性リン(P２O５) 4.5％, 水溶性カリウム(K２O) 6.5％を含む液肥である。
【００４８】
養液の水温を28℃に設定し、上記栽培した苗を20苗ずつ発泡スチロール板に定植して水槽水面に設置した。
そして、PPFD 400μmol/m２・sの光強度12時間の明期、明期28℃及び暗期18℃の気温条件、；湿度 70％(RH)、；根圏温度（養液水温） 28℃、；の条件で、湛水環境での水耕栽培を4週間行った。
【００４９】
(2)「花芽分化期以降の生育」
定植後4週間の栽培を行った株は、本葉6対が展開されたステージに達し（平均草丈8.5cmに達し）、葉先枯れ症が高発生する直前の生育ステージとなった。そこで、定植後4週経過後、上記(1)に記載の栽培条件の一部（根圏温度、養液窒素含量、気温条件）を表1に示す条件にした各処理区（1処理区あたり18個体）を設定し、さらに4週間の水耕栽培を行った。
【００５０】
(3)「評価」      
栽培後の各処理区の生育状態を観察し、(A) 生育が正常な個体、(B) 葉先枯れ（葉先端部の軽微な枯死）を起こしている個体、(C) 芯枯れ（主茎先端部の枯死）を起こしている個体、の各処理区の個体頻度（％）を算出した。なお、(B)及び(C)と判定された個体は、葉先枯れ症（チップバーン）が発生している個体と判定される。結果を表1及び図1に示した。
【００５１】
その結果、花芽分化期以降の根圏温度を高温（28℃）にして栽培した処理区では、葉先枯れ症の発生が多発した（処理区1-1, 1-3, 1-5）。特に、高気温条件と高窒素の条件が重なった場合（処理区1-5）では、正常に生育した個体は1つもなく、大部分（95％）の個体が芯枯れの状態（葉先枯れ症の症状が最も重篤な状態：図3 参照）となった。
それに対して、花芽分化期以降の根圏温度を低温（15℃）にした処理区では、高気温条件（処理区1-4）又は高窒素条件（処理区1-2）で栽培した場合でも、全て（100％）の個体が正常に生育していた。特に、高気温条件と高窒素の条件が重なった条件（処理区1-6）においても、大部分（82％）の個体が正常に生育し、芯枯れを起こした個体は1つも見られなかった。
【００５２】
また、図2に、根圏温度28℃（処理区1-3）と根圏温度15℃（処理区1-4）における平均的個体の草姿における平均的な個体の草姿を対比し、写真像図として示した。根圏温度28℃生育個体では、芯止まりにより頂芽が枯死したため、側芽が多数分枝伸長して乱れた草姿となった（図2下段 参照）。一方、根圏温度15℃生育個体では、頂芽が正常に伸長し正常な美しい草姿となった（図2上段 参照）。
【００５３】
(4)「考察」
以上の結果から、花芽分化期以降の根圏温度を低温に維持することによって、葉先枯れ症の発生を顕著に抑制できることが示された。また、葉先枯れ症が極めて発生しやすい高気温条件と高窒素の条件が重なった条件においても、大部分の株が健常に生育可能となることが示された。
【００５４】
【表１−Ａ】
2014168389.tif 000003
【００５５】
【表１−Ｂ】
2014168389.tif 000004
【００５６】
【表１−Ｃ】
2014168389.tif 000005
【００５７】
［実施例2］  『葉先枯れ症抑制に有効な根圏温度範囲』
トルコギキョウの花芽分化期以降の生育において、葉先枯れ症抑制に有効な根圏温度の範囲を検討した。
【００５８】
(1)「初期生育」
実施例1(1)に記載の方法と同様にして、トルコギキョウ（レイナホワイト）の本葉2対が展開した苗を定植して水耕栽培を4週間行い、花芽分化期に入る直前の株（平均草丈が約10cmに達した株）を準備した。
【００５９】
(2)「花芽分化期以降の生育」
上記(1)で準備した株について、定植後5週目以降の根圏温度を表2に示す温度にした各処理区（1処理区あたり12個体）を設定し、さらに4週間の水耕栽培を行った。
【００６０】
(3)「評価」
栽培後の各処理区の生育状態を観察し、実施例1(3)に記載の方法と同様にして、(A) 生育が正常な個体、(B) 葉先枯れを起こしている個体、(C) 芯枯れを起こしている個体、の個体頻度（％）を算出した。結果を表2に示した。
【００６１】
その結果、明期気温33℃（夏場と同様の高気温条件）で且つ養液窒素濃度9mM（高窒素条件）という極めて葉先枯れ症が発生しやすい環境では、花芽分化期以降の根圏温度を30℃で栽培した全個体が芯枯れを起こし、全個体が商品価値を有さない草姿となった（対照区）。
それに対して、根圏温度を20℃に維持した場合では（処理区2-4）、芯枯れを起こした個体は僅か1割弱（8％）に激減し、半数弱（42％）もの個体が正常に生育していた。即ち、根圏温度20℃にすることで、葉先枯れ症の発生が顕著に防止されることが示された。
根圏温度を18℃に維持した場合では（処理区2-3）、芯枯れ個体の発生は全く見られず、7割強（75％）もの個体が正常に生育していた。
根圏温度を13℃に維持した場合では（処理区2-2）、葉先枯れ症の発生自体が全く起こらず、全ての個体を正常に生育していた。
根圏温度が10℃に維持した場合では（処理区2-1）、全ての個体で葉先枯れ症の発生は起こらなかった。但し、低温の影響に起因する新葉黄化傾向（下位葉は通常の緑化葉となる）が見られた。これは、根圏低温による肥料分の吸収力の低下に起因する現象と推測された。
【００６２】
(4)「考察」
以上の結果から、夏場で高窒素条件という極めて葉先枯れ症が発生しやすい環境においても、花芽分化期以降の根圏温度を20℃以下に維持して栽培することによって、葉先枯れ症の発生を顕著に抑制できることが示された。また、当該防止効果は、根圏温度を低くするにつれ顕著に奏される効果と認められた。
但し、根圏温度が低過ぎる条件（例えば10℃）で生育を継続すると、葉先枯れ症の発生は皆無となるものの、低温に起因する成長抑制の影響が見られた。この点、葉先枯れ症が栄養成長から生殖成長に切り替わる時の生理障害であることを踏まえると、全ての花芽が形成されて一定期間が経過した株（花芽分化期を完全に経過した株）については、根圏温度を上昇させた方が低温に起因する生育抑制が起こりにくいと推測された。
【００６３】
【表２】
2014168389.tif 000006
【００６４】
［実施例3］  『根圏温度が初期生育に与える影響』
トルコギキョウの栽培において、根圏温度が初期生育に与える影響を検討した。
【００６５】
(1)「初期生育」
トルコギキョウ（ピッコローサスノー：早生八重品種）の種子を用いて、実施例1(1)に記載の方法と同様にして、本葉2対が展開した苗を得た。
養液の水温を表3に示す温度に設定し、上記栽培した苗を12苗ずつ発泡スチロール板に定植して水槽水面に設置した。
そして、自然光型人工気象室において、6〜18時が30℃及び17〜7時が25℃の気温条件、；湿度自然状態、；根圏温度（養液水温）が表3に示す各温度、；の条件で、湛水環境での水耕栽培を23日間行った。
【００６６】
(2)「評価」
栽培後、処理区ごとの生育量を評価した。具体的には、第4葉身長（mm）を計測し平均値を求めることで評価した。結果を表3に示した。
【００６７】
その結果、根圏温度を25〜30℃にして初期生育を行った場合、定植後の第4葉身長が良好であり、生育量が大きくなることが示された（処理区3-3, 3-4）。特に、根圏温度が30℃の場合に、生育量が最大になることが示された（処理区3-4）。
一方、根圏温度を30℃より低温にした場合、根圏温度が低くなるにつれて、第4身長が小さくなり、生育量が小さくなる傾向があることが示された（処理区3-1〜3-3）。
また、根圏温度を35℃にした場合、根圏温度30℃よりも第4身長が小さくなることを目視にて確認した（処理区3-4, 3-5）。
なお、いずれの処理区においても、葉先枯れ症の発生は確認されなかった。
【００６８】
(3)「考察」
これらの結果から、トルコギキョウの初期生育においては、根圏温度を25〜30℃付近に調整して栽培することが好適であると判断された。なお、初期生育においては、根圏温度を高く設定しても、葉先枯れ症の発生に影響しないことが示された。
【００６９】
【表３】
2014168389.tif 000007
【００７０】
［実施例4］『根圏温度が花芽分化期以降の生育に与える影響』
トルコギキョウの栽培において、根圏温度が花芽分化期以降の生育に与える影響を検討した。
【００７１】
(1)「花芽分化期以降の生育」
実施例3で初期生育した各処理区（処理区3-1〜3-5）の株（ピッコローサスノーの花芽分化期に入る直前の株）について、そのまま栽培を継続し、定植後9週間が経過するまで同条件にて水耕栽培を行った（それぞれを処理区4-1〜4-5とした。）。
【００７２】
(2)「評価」
栽培後、処理区ごとの茎葉及び根の生育状態について目視にて観察し評価を行った。図4に花芽分化期以降の根圏温度15℃（処理区4-1）、根圏温度20℃（処理区4-2）、根圏温度25℃（処理区4-3）、根圏温度30℃（処理区4-4）の生育における平均的な個体の草姿を対比し写真像図として示した。
【００７３】
その結果、根圏温度30℃（処理区4-4）で栽培を継続した場合では、茎葉の生育量は良好であったが、葉先枯れ症が発生し芯枯れにより草姿は大きく乱れる傾向にあった。また、生育後半では、根の生育量が減り褐変も観察された。これは、組織の老化（溶存酸素量の低下により嫌気ストレス）やピシウム菌等による根腐れ症状（高温による病原菌増殖）が発生しやすくなるためと推測された。
根圏温度25℃（処理区4-3）で栽培を継続した場合では、茎葉の生育量および根の生育量ともに極めて良好であった。但し、芯枯れによる分枝と草姿の乱れが若干見られた。
根圏温度20℃（処理区4-2）で栽培を継続した場合、芯枯れによる分枝は全くおこらず綺麗な草姿となった。茎葉量は30℃の場合に比べて減少したが、商品としては十分な生育状態と認められた。
【００７４】
一方、根圏温度15℃（処理区4-1）で栽培を継続した場合、葉先枯れ症は完全に抑制できたが、茎葉生育量は著しく低下した。
また、根圏温度35℃（処理区4-5）で栽培を継続した場合、根量が著しく少なくなり褐変も悪化することを目視にて観察された。
【００７５】
(3)「考察」
以上の結果から、葉先枯れ症抑制効果には注目せずに‘茎葉及び根の生育量’という観点だけから判断すると、トルコギキョウの花芽分化期以降の生育量は、根圏温度20〜25℃付近（特に25℃付近）で栽培することが好適であると判断された。
【００７６】
［実施例1〜4の総括］
実施例1〜4での試験結果を総括する。
トルコギキョウの生育において、苗の定植から花芽分化期に至る前までの初期生育においては、根圏温度を25〜30℃付近（境界温度の±を考慮すると23〜32℃）に維持して栽培することによって、茎葉と根の生育量を十分に増加し好適であることが示された。
花芽分化期に至る直前から当該期間を経過するまでの生育段階について、根圏温度を低温（10〜20℃）に維持することによって、葉先枯れ症の発生を顕著に抑制できることが示された。
花芽分化期が完全に経過した後の生育段階においては、根圏温度を20〜25℃付近（境界温度の±を考慮すると18〜28℃）に維持することによって、葉先枯れ症を抑制しつつ茎葉と根の生育量を増加し好適であることが示された。
【００７７】
［実施例5］『秋出し栽培における高品質切り花の短期生産』
葉先枯れ症の発生しやすい秋出し栽培において、葉先枯れ症の抑制された高品質トルコギキョウの切り花の生産を行った。
【００７８】
(1)「初期生育」
トルコギキョウ（品種ボヤージュホワイト：早生種）の種子を用いて、実施例1(1)に記載の方法と同様にして、本葉4対が展開した大苗（200株）を得た。
ガラス温室内に設置した長さ3m、幅0.6mのNFT水耕装置2台を使用し、8月下旬に当該大苗を定植し、養液水温（根圏温度）30℃で自然日長にて初期生育を行った。養液としては実施例1(1)で用いた組成の養液を用いてECを100〜150 ms/mとし、ポンプを用いてNFTベッド内を循環させた。
定植後25日間、根圏温度30℃で生長を促進させ、草丈約10cmに達した株を得た。
【００７９】
(2)「花芽分化期以降の生育」
花芽分化期以降の生育について、100株を根圏温度20℃（実施区）に3週間維持して栽培を行うことにより葉先枯れ症発生の抑制を図った。その後、根圏温度25℃にして栽培を継続した。なお、定植後平均で29日が経過した日には平均発蕾日となった。発蕾後においては、主茎頂花と一次小花の蕾を摘蕾することで、切り花長の確保と複数輪の同時開花を促した。蕾及び花の数については、分枝1本につき花1輪と蕾1つとなるように芽整理して仕立てた。なお、定植から72日が経過した日が平均開花日であった。
対照として、残りの100株を花芽分化期以後の根圏温度を30℃（対照区）に3週間維持し、その後25℃にして栽培を継続した。
【００８０】
(3)「収穫」
実施区及び対照区ともに、11月中下旬に切り花長70cm以上のトルコギキョウの切り花を収穫することができた。なお、栽培に要した期間は、NFT水耕装置への定植から収穫までわずか約3ヵ月（81日）という短期間であった。
収穫時の各項目の測定値及び観察結果を算出し表4に示した。なお、各数値は100個体の平均値で示し、対照区に対して有意水準がある項目は「＊」を記した。また、整切り花重は、切り花として整えて切り花とした時の重量を指す。総蕾数とは、収穫するまでに発蕾した蕾の数を指す。
【００８１】
その結果、収穫時の株の状態は花芽分化期以降3週間の根圏温度20℃（実施区）とした方が、根圏温度30℃（対照区）とした場合よりも、葉先枯れ症の発生個体数が半分以下となり、発症度合いも軽微であった。また、花重量及び花数も有意に増加し、切り花形質が大きく向上することが認められた。
【００８２】
【表４】
2014168389.tif 000008
【産業上の利用可能性】
【００８３】
本発明は、葉先枯れ症が発生しやすい時期においても、高品質のトルコギキョウを効率良く栽培することを可能とする。そのため、経済性の高いトルコギキョウの切り花や容器植えを、効率良く生産することが可能とする。
従って、本発明は、トルコギキョウの栽培現場において、栽培業者にとって極めて有効に利用できる技術となることが期待される。
【符号の説明】
【００８４】
１：  正常伸長した頂芽
２：  分枝伸長した側芽
３：  芯止まりにより枯死した頂芽
【図１】
2014168389.tif 000009
【図５】
2014168389.tif 000010
【図２】
2014168389.tif 000011
【図３】
2014168389.tif 000012
【図４】
2014168389.tif 000013